(57)【特許請求の範囲】
【請求項１】
液体透過不能で、外中段区と外前腹区と外背後区とからなり、前記外背後区には結びマザーベルトが形成される外表層と、
前記外表層に設けられる吸収体と、
液体透過可能で、前記吸収体の上部に配置され、中央条片と両側の側条片とからなり、中央条片と両側条片の隣り合う側に漏れ防止伸縮部材が形成され、側条片には内中段区と内前腹区と内背後区とを有し、内前腹区の両端側にそれぞれ少なくとも１本の結びファーザーベルトが形成された内面層とを有し、
該内面層の両端の結びファーザーベルトを該外表層の結びマザーベルトに貼り付けて使用される吸収体の改良構造であって、
前記外表層は、前記外中段区の幅が前記外前腹区の幅及び前記外背後区の幅よりも狭い形状を有し、
上記内面層は、上記内前腹区と内背後区の幅が外表層における対応且つ接続する外前腹区と外背後区より大きく形成され、且つ内前腹区と内背後区の外端部にそれぞれ露出区が形成された構成であり、
上記内面層の両端の結びファーザーベルトを外表層の結びマザーベルトに貼り付けてた状態で、該内面層の内前腹区の外端部の露出区と該内面層の内背後区の外端部の露出区とが相互に重なり、両露出区が相互に重なった部分に通気区が形成される構成としたことを特徴とする吸収体の改良構造。
【請求項２】
液体透過不能で、外中段区と外前腹区と外背後区と外カット区からなり、前記外背後区には結びマザーベルトが形成される外表層と、
前記外表層に設けられる吸収体と、
液体透過可能で、前記吸収体の上部に配置され、中央条片と両側の側条片とからなり、中央条片と両側条片の隣り合う側に漏れ防止伸縮部材が形成され、側条片には内中段区と内前腹区と内背後区と内カット区を有し、且つ内前腹区と内背後区の幅を外表層における対応且つ接続する外前腹区と外背後区より大きく形成させ、内前腹区と内背後区の外端部にそれぞれ露出区が形成され、内前腹区の両端側にそれぞれ少なくとも１本の結びファーザーベルトが形成され、両端の結びファーザーベルトを結びマザーベルトに貼り付けようとする場合、相互に重ねられる両露出区に通気区を形成する内面層とを有し、
上記外表層及び内面層の内中段区と外中段区とは、外表層の外中段区と内面層の側条片の内中段区とが整合した状態で同時に内カット区と外カット区とを除去して形成された構成としたことを特徴とする吸収体の改良構造。
【発明の詳細な説明】
【０００１】
【発明の属する技術分野】
本発明は吸収体の改良構造に係るものであり、特におむつに利用される局部的な通気性を有する吸収体の改良構造に係る。
【０００２】
【従来の技術】
従来の紙製おむつは主に赤ちゃんや病気に罹って自分でトイレへ行動出来ない患者に提供するものであり、ユーザーが長期間ベッドに寝付けられる。この種のおむつの主要な構造は、図１に示すように、液体通過不能な外表層３ａに吸収体２ａを設け、当該吸収体２ａの上方に液体透過可能な内面層１ａを形成し、吸収体２ａの表層に他に強化用の吸収層２ｂが形成され、内面層１ａは中央条片１ｃとその両側の側条片１ｂとからなり、中央条片１ｃと両側条片１ｂとの隣接する側にそれぞれ漏れ防止伸縮部材１ｇが設けられ、前記外表層３ａは狭い方の外中段区３ｃと外前腹区３ｄと外背後区３ｅとからなり、そのうちの外表層３ａの外中段区３ｃの中心線の部位に尿液表示区３ｂが形成される。
【０００３】
外前腹区３ｄと外背後区３ｅの幅は内面層１ａの対応する内前腹区１ｅと内背後区１ｆとほぼ同じように形成され、これによって内前腹区１ｅと内背後区１ｆ間を狭い方の内中段区１ｄにより接続させる。これらの作法によって内面層１ａと外表層３ａとをサイズが同様で、容易に漏れない構造を形成する。外背後区３ｅの両端側にそれぞれ１本の結びファーザーベルト（ｆａｔｈｅｒ  ｂｅｌｔ）４ａが設けられ、且つ外前腹区３ｄの外表に結びマザーベルト（ｍｏｔｈｅｒ  ｂｅｌｔ）４ｂが設けられ、前記結びマザーベルト４ｂは広い条の構造を呈し、使用される場合、腰部後方の両側端部の結びファーザーベルト４ａを腰部前方の結びマザーベルト４ｂに貼り付け、それぞれ両後腰部に重ねられる外前腹区３ｄと外背後区３ｅとに不通気区を形成させる。
【０００４】
図２に示すように、図２は図１の前腰区の断面図であり、外表層を設ける場合、既に不通気状態になり、結びファーザーベルト４ａにおける貼り付け片をプラスチック性のマザーベルト４ｂの表面に貼り付けさせることによっておむつの組合せ位置決め動作を完成する場合、外表層が不通気区において双層式の重ね状態を形成するので、その不通気性が劣る。しかしながら、この部分の構造がおむつの尿液の漏れと排泄物の収集の区域に影響しないため、依然として最高の標準によって設置し、外表層と結びマザーベルトの用量を増加するほかに、長期間に使用されると、容易に皮膚病にかかるようになり、もっと実際の使用のニーズに合わせることができる物品を作るために、本発明の発明者は研究開発を進め、従来の構造の腰部に密閉されて不通気になるような課題を解決した。
【０００５】
【発明が解決しようとする課題】
本発明は、ユーザーに人間性化のデザインを有し、使用後に使い捨て可能なおむつに通気する構造を有するようにならせ、特に重ねられる後腰部の局部に使用されるものを、おむつの漏れと排泄物の収集区域に影響を与えないように、通気性を有する構造になる場合、依然として元来の囲み阻止効果を有し、且つユーザーが使用の際快適感が大幅に向上され、外部の空気が通気の区域よりおむつに進入出来るようにし、他に重ねられる部分にゲル類物質がないため、穏やかに位置決めできる。また、穿く場合の安定性を向上出来、外表層と結びマザーベルトの用量を減少出来ると共に、製造コストを節約出来、資源の使用量を最低限に抑圧し、好ましい環境保護の効果を有することを特徴とする吸収体の改良構造を提供することをその主要な目的とする。
【０００６】
【課題を解決するための手段】
前記の目的を図るために、本発明は、液体透過不能で、外中段区と外前腹部と外背後区とからなり、前記外背後区には結びマザーベルトが形成される外表層と、前記外表層に設けられる吸収体と、液体透過可能で、前記吸収体の上部に配置され、中央条片と両側の側条片とからなり、中央条片と両側条片の隣り合う側に漏れ防止伸縮部材が形成され、側条片には内中段区と内前腹区と内背後区とを有し、且つ内前腹区と内背後区の幅を外表層における対応且つ接続する外前腹部と外背後区より大きく形成させ、内前腹区と内背後区の外端部にそれぞれ露出部が形成され、内前腹区の両端側にそれぞれ少なくとも１本の結びファーザーベルトが形成された内面層とを有し、両端の結びファーザーベルトを結びマザーベルトに貼り付けた場合、内前腹区と内背後区の幅が外表層における対応且つ接続する外前腹部と外背後区より大きいため、両方の露出区が相互に重なり合って、この部分が通気区を形成するようにした発明を提出する。また、前記外表層における結びマザーベルトは局部的に内面層の内背後区に固定可能にしてもよい。また、前記内面層は不織布よりなってもよい。また、前記内面層の結びファーザーベルトは貼り付け片であってもよい。
【０００７】
【発明の実施の形態】
図３乃至図５に示すように、本発明の吸収体の改良構造は、液体通過不能な外表層３１に吸収体２１を設け、吸収体２１には液体透過可能な内面層１１を有し、内面層１１は中央条片１３とその両側に位置する側条片１２とからなり、中央条片１３と両側の側条片１２の隣り合う部位にそれぞれ漏れ防止伸縮部材１７が形成され、当該外表層３１は外中段区３３と外前腹区３４と外背後区３５とからなり、そのうち、外表層３１の外中段区３３の中央線部に濡れ表示区３２が形成される。
【０００８】
外前腹区３４と外背後区３５の幅を、内面層１１と対応設置すると共に接続される内前腹区１５と内背後区１６より小さく形成させ、内前腹区１５と内背後区１６の外端にそれぞれ内前方露出区１９と内後方露出区１８を形成させ、内背後区１６の両端側にそれぞれ少なくとも１本の結びファーザーベルト４１が形成させると共に、外前腹区３４の外表に結びマザーベルト４２を形成させ、両端の結びファーザーベルト４１を結びマザーベルト４２に貼り付けさせようとする場合、重ねられる両露出区１８、１９によって通気区を形成し、その全体の形状を図５に示す。そのうち、結びファーザーベルト４１は一端を露出区１８、１９に粘着すると共に、結びマザーベルト４２はゲル類片であり、外表層３１に粘着され、且つ結びマザーベルト４２が局部的に露出区１８、１９に跨って接することができる。そのうち、外表層３１の外中段区３３と内面層１１の側条片１２の内中段区１４とがすべて全体が整合してから、同時に図３に示す内カット区１０と外カット区３０を除去して図５に示す狭い方の外中段区３３と内中段区１４を形成する。
【０００９】
【発明の効果】
前記のように、本発明は通気性を有する概念を運用し、吸収体構造を従来の外表に通気性を有しないものを局部的な通気性を有するものに転換させ、局部的な通気機能を有することは内面層の材質が一般不織布よりなり、外表層がゲル膜であるためであり、本発明は外表層の前後腰部区の両端の幅を短縮化させ、結びマザーベルトにも対応の合わせを形成させ、人体の後腰部に対応する位置に内面層の２枚の翼の重ねられる部分が形成される。この部分には単に単層の不織布内面層を有し、従来の２層の不通気構造を通気構造区域にならせ、元来の囲み阻止効果を有するように維持すると共に、ユーザーの着用好適性を大幅に向上し、外界の空気が通気区域よりおむつに入ることができるようになる。さらに、腰部に長期間おむつを使用することによる皮膚病にかかることを大幅に減少し、他に、ここの重ねられる部分にはゲル類膜がないため、重ねる際の滑走性が減少され、本発明の結びファーザーベルトとマザーベルトとによって穏やかに位置決めさせることができ、穿く場合の安定性を向上出来、この種の変更も外表層と結びマザーベルトの用量を減少し、コストを節約出来る効果を有し、資源の使用料を最低限に抑止出来、好ましい環境保護の機能を有するので、本発明は好ましい使用性を提供するので、従来物とまったく異なる構造を提供する。
【図面の簡単な説明】
【図１】従来物の分解斜視図である。
【図２】従来物の組み合わせる場合を前腰部より観察する場合の断面図である。
【図３】本発明を示す分解斜視図である。
【図４】本発明の組み合わせる場合を前腰部より観察する場合の断面図である。
【図５】本発明を示す斜視図である。
【符号の説明】
１０  内カット区
１１  内面層
１２  側条片
１３  中央条片
１４  内中段区
１５  内前腹区
１６  内背後区
１７  漏れ防止伸縮部材
１８  内前方露出区
１９  内後方露出区
２１  吸収体
２２  強化吸収層
３０  外カット区
３１  外表層
３２  濡れ表示区
３３  外中段区
３４  外前腹区
３５  外背後区
４１  結びファーザーベルト
４２  結びマザーベルト
【図１】
0003592253.tif 000002
【図２】
0003592253.tif 000003
【図３】
0003592253.tif 000004
【図４】
0003592253.tif 000005
【図５】
0003592253.tif 000006